(57)【要約】本発明により、ユーザーがボトルに詰められた液体を飲むとき、ユーザーの手からボトルが滑ったり、あるいはボトルの腰が折れてボトルに詰められた液体がこぼれ出すのを防ぐことができるボトル用取っ手が開示される。本発明のボトル用取っ手は、以下の如く構成される。即ち、可撓性の材料からなるリボンがボトルの一側面に縦方向に配置され、リボンの中央部はボトル中央部に巻き付けられた商標付フィルムでボトル中央部に固定されており、リボンの両端には一対の締結手段が付与され、リボンの両端は、それぞれ上下方向に曲げられ、そして締結手段は、ユーザーが片手をリボン取っ手に差し込むことができるように、あるいは片手でリボン取っ手を掴むことができるように、リボン取っ手を形成するべくお互いに締結される。
2006516233.tif 000002
【特許請求の範囲】
【請求項１】
可撓性の材料からなり、ボトルの一側面に縦方向に配置され、その中央部がボトルの中央部を覆っている商標付フィルムによって固定されているリボンと、リボンの両端部分に具備された一対の締結手段よりなるボトル用取っ手であって、ボトルが使用される時に該リボンの両端部分がそれぞれ上下方向に曲がり、該締結手段がリボン取っ手を形成するべく締結されることを特徴とするボトル用取っ手。
【請求項２】
上記リボンは、皮革や合成樹脂材からなることを特徴とする請求項１に記載のボトル用取っ手。
【請求項３】
上記締結手段は、一対の雌ボタンと雄ボタンであることを特徴とする請求項１に記載のボトル用取っ手。
【請求項４】
上記締結手段は、一対のベルクロテープであることを特徴とする請求項１に記載のボトル用取っ手。
【発明の詳細な説明】
【技術分野】
【０００１】
本発明はボトル用取っ手に関し、取っ手用リボンの両端部分にボタンやベルクロテープ（面ファスナー）などのような一対の締結手段を付与してボトルの一側面に縦に装着し、該リボンの中央部を商標付フィルムでボトルの中央部に固定した後、一対の締結手段を互いに締結させて可撓性のリボン取っ手を形成させ、取っ手として使用するようにしたボトル用取っ手に関する。
【背景技術】
【０００２】
一般的にガラスボトル、ペットボトルなどのような既存のボトルは、保管維持による温度差によって発生する結露及び湿潤現象によって、ユーザーの手が滑って破損したり、大きいペットボトルの場合は腰が折れて内容物が多量にこぼれ出すといったことが頻繁に発生する。この問題を回避するために、片手で安全に持つことができるようにボトルの一側面に取っ手を形成することが要望されている。
【０００３】
しかし、取っ手が形成された従来のボトルは、ボトルを運搬及び保管する時の衝突によって、衝撃に弱い取っ手部分が容易に破損したり、ボトルの全体の嵩が増加するといったいくつかの問題を持っている。
【発明の開示】
【発明が解決しようとする課題】
【０００４】
上記のような従来の問題を解消するための本発明は、ボトルの一側面に可撓性の材料からなる別途のリボン取っ手を装着することによって、既存のボトルに比べて容易に破損せず、嵩が増加せず、しかも取っ手に手を差し込んだり、片手で持つことでボトルに入っている内容物を安全且つ使い勝手良く飲めるようにすることにその目的がある。
【課題を解決するための手段】
【０００５】
上記の目的を達成するための本発明は、可撓性の材料からなり、ボトルの一側面に縦方向に配置され、その中央部がボトルの中央部を覆っている商標付フィルムによって固定されているリボンと、リボンの両端部分に具備された一対の締結手段よりなるボトル用取っ手であって、ボトルが使用される時に該リボンの両端部分がそれぞれ上下方向に曲がり、該締結手段がリボン取っ手を形成するべく締結されることを特徴とする。
【０００６】
また本発明において、上記リボンは皮革や合成樹脂材などのように可撓性の材料からなるのが好ましい。
【０００７】
また本発明において、上記締結手段は一対の雌ボタンと雄ボタンまたは一対のベルクロテープ（面ファスナー）であることが好ましい。
【発明の効果】
【０００８】
本発明によれば、リボンがボトルの一側面に縦に装着され、リボンの両端部分に具備された一対の雌ボタンと雄ボタンを互いに結合させることでリボン取っ手が形成されるため、ユーザーは、リボン取っ手に手を差し込んだり片手でリボン取っ手を掴んで、滑りやすく大きいガラスボトルやペットボトルに入った内容物をこぼさずに安全に注いだり飲んだりすることができる。
【０００９】
また、本発明によれば、ユーザーは、リボン取っ手に指をかけて運搬したり携帯することができるだけでなく、リボン取っ手をフックに掛けてボトルを保管することができる。特にリボン取っ手が可撓性の材料からなっているため、手の形やフックの形状にかかわらず容易に掛けたり持つことができる。
【００１０】
そして、本発明によれば、ガラスボトルやペットボトルなどに入れられた内容物を製造する製造業者は、リボンを利用して製品の特性に応じて製品を美しく飾ったり、リボンに該当製品を説明するための様々な文言を記載することもできる。
【発明を実施するための最良の形態】
【００１１】
本発明のさらなる目的及び利点は、添付図と併せて、以下の詳細な説明によってより明確に理解されるであろう。以下、添付図を参照し、実施例と関連付けながら本発明を詳しく説明する。
【００１２】
図１、及び図２は本発明によるボトル用取っ手を示したものであって、ガラスボトルやペットボトルなどのようなボトル（１）の一側面（図面で正面）には皮革や合成樹脂材などのように可撓性の材料からなるリボン（２）が縦方向に装着されている。該リボン（２）の下端部分と上端部分には互いに締結される一対の締結手段、すなわち雌ボタン（４）と雄ボタン（５）が具備されている。
【００１３】
ここでリボン（２）の両端部分を上下方向に曲げて雌ボタン（４）と雄ボタン（５）の結合が容易なように、雌ボタン（４）は内側、すなわちボトル（１）側に向かうように取り付け、雄ボタン（５）は外側に向かうように取り付けるのが好ましい。もちろん雌ボタン（４）と雄ボタン（５）が互いに反対方向を向くように取り付けても同一の効果を得ることができるし、また、ボタンの代わりに面ファスナー（ベルクロテープ）のような締結手段を付与しても同様である。
【００１４】
商標付フィルム（３）がボトル（１）と共に上記リボン（２）の中央部を覆いながらボトル（１）の中央部に巻き付けられており、リボン（２）の中央部はボトル（１）の中央部に固定装着された状態を維持し、リボン（２）の両端部分はボトル（１）に付着していないか、あるいは粘性が低い接着剤によってボトル（１）の表面に貼付されており、上下方向に容易に曲げることができる状態となっている。
【００１５】
すなわち、リボン（２）の材料によってリボン（２）自体の復元力でボトル（１）に近接するようにリボン（２）の両端部分を配置するか、あるいは粘性が低い別途の接着剤でボトル（１）の表面にリボン（２）の両端部分を貼付して、ボトル（１）を保管したり運送する時にリボン（２）が引っかからないようにしている。
【００１６】
もちろん通常はリボン（２）の両端部分がボトル（１）に弱く付着しているかまたはボトル（１）に近接した状態を維持しており、保管及び運送する時にリボン（２）が占める空間を最小化することができる。
【００１７】
図３、及び図４は一対の雌ボタン（４）と雄ボタン（５）を結合させてリボン取っ手（６）を形成する過程を示したものであって、ボトル（１）を保管及び運搬時には図面中に点線で示したように、リボン（２）の中央部がボトル（１）の中央部に固定され、リボン（２）の両端部分がボトル（１）に近接した状態を維持しており、既存の取っ手付ボトルと違って、ボトルを保管及び運搬する時に、リボン取っ手（６）のための別途のスペースを準備しなくても良い。
【００１８】
ボトル（１）に入った内容物を注いだり飲んだりしようとする時に、ユーザーは図面中に実線で示したように、リボン（２）の両端部分をそれぞれ上下方向に曲げる。そして一対の雌ボタン（４）と雄ボタン（５）を結合させることによって、片手で持ったり片手を差し込むことができるリボン取っ手（６）が形成される。
【００１９】
したがってユーザーはボトル（１）に形成されたリボン取っ手（６）に片手を差し込んだり、片手でリボン取っ手（６）を持って、滑りやすく大きいガラスボトルやペットボトルに入った内容物をこぼさず安全に注いだり飲んだりすることができる。
【産業上の利用可能性】
【００２０】
以上説明したように、本発明によれば、リボンがボトルの一側面に縦に装着され、リボンの両端部分に具備された一対の雌ボタンと雄ボタンを互いに結合させることでリボン取っ手が形成されるため、ユーザーは、リボン取っ手に手を差し込んだり片手でリボン取っ手を掴んで、滑りやすく大きいガラスボトルやペットボトルに入った内容物をこぼさずに安全に注いだり飲んだりすることができる。
【００２１】
また、ユーザーは、リボン取っ手に指をかけて運搬したり携帯することができるだけでなく、リボン取っ手をフックに掛けてボトルを保管することができる。特にリボン取っ手が可撓性の材料からなっているため、手の形やフックの形状にかかわらず容易に掛けたり持つことができる。
【００２２】
そして、ガラスボトルやペットボトルなどに入れられた内容物を製造する製造業者は、リボンを利用して製品の特性に応じて製品を美しく飾ったり、リボンに該当製品を説明するための様々な文言を記載することもできる。
【００２３】
以上の説明のように、本発明は一つの好ましい具体例についてのみ記述したが、上記の具体例を土台にした本発明の技術思想の範囲内での多様な変形及び修正が可能であることは当業者において明白なことであり、またこのような変形及び修正が添付した特許請求の範囲に属することは当然である。
【図面の簡単な説明】
【００２４】
【図１】本発明によるボトル用取っ手を示した斜視図である。
【図２】本発明によるボトル用取っ手を示した正面図である。
【図３】一対のボタンの結合過程を説明するための斜視図である。
【図４】一対のボタンの結合過程を説明するための背面斜視図である。
【符号の説明】
【００２５】
１  ボトル
２  リボン
３  商標付フィルム
４  雌ボタン
５  雄ボタン
６  リボン取っ手
【図１】
2006516233.tif 000003
【図２】
2006516233.tif 000004
【図３】
2006516233.tif 000005
【図４】
2006516233.tif 000006
【国際調査報告】
2006516233.tif 000007
2006516233.tif 000008